(57)【要約】【課題】  データベース中のデータ更新に伴う文書中の変更箇所を認識しやすいデータベースを利用した編集支援システムを得る。【解決手段】  本発明のデータベースを利用した編集支援方法では、文書作成制御手段８が、入力された編集対象データに基づいて、データベース確認指示が入力されると、編集対象データ中に記録された、参照したデータのデータベース内での位置を表すメタデータに基づいて、そのメタデータが表す位置のデータを諸元データベース５から読み込み、データベース中の参照したデータと編集対象データ中の対象データとが同一であるかどうかを判断し、異なっている場合は両方表示してデータの選択を促して、選択されたデータを、新たな参照したデータとして編集対象データに取り込む。【選択図】        図４
2004318897.tif 000002
【特許請求の範囲】
【請求項１】
データベースに記憶されているデータを参照して、その参照したデータを編集対象データ中に取り込んで編集を行うデータベースを利用した編集支援方法において、
前記編集対象データを入力する工程と、
データベース確認指示が入力されると、前記編集対象データ中に記録された、前記参照したデータのデータベース内での位置を表すメタデータに基づいて、そのメタデータが表す位置のデータを前記データベースから読み込む工程と、
前記データベースから読み込んだ前記データと前記参照したデータとが同一であるかどうかを判断する工程と、
前記データベースから読み込んだ前記データと前記参照したデータとが異なっている場合、前記データベースから読み込んだ前記データと前記参照したデータとを両方表示し、データの選択を促す工程と、
選択されたデータを、新たな参照したデータとして前記編集対象データに取り込む工程と
を有することを特徴とするデータベースを利用した編集支援方法。
【請求項２】
前記データベースから読み込んだ前記データと前記参照したデータとが異なっているものと判断すると、
前記参照したデータが空データであれば、前記データベースから読み込んだ前記データは新規作成されたデータであると判断し、
前記参照したデータが空データでなく、かつ前記データベースから読み込んだ前記データが空データであれば、前記参照したデータはデータベース内で削除されたものと判断し、
前記参照したデータが空データでなく、かつ前記データベースから読み込んだ前記データが空データでなければ、前記データベースから読み込んだ前記データは更新されたデータであると判断して、
前記データベースから読み込んだ前記データ及び前記参照したデータを、それぞれの判断により区別して表示し、データの選択を促すことを特徴とする請求項１記載のデータベースを利用した編集支援方法。
【請求項３】
前記選択されたデータを、新たに参照したデータとして前記編集対象データに取り込む工程において、
前記選択されたデータが、前記データベースから読み込んだ前記データである場合、前記参照したデータである場合とは区別して表示することを特徴とする請求項１又は２記載のデータベースを利用した編集支援方法。
【請求項４】
前記選択されたデータを、新たに参照したデータとして文書に取り込む工程において、
前記参照したデータに対して行うデータ加工手順を記憶しているフィルタデータに基づいて、前記選択されたデータを加工してから文書に取り込むことを特徴とする請求項２記載のデータベースを利用した編集支援方法。
【請求項５】
データベースに記憶されているデータを参照して、、その参照したデータを編集対象データ中に取り込んで編集を行うデータベースを利用した編集支援システムにおいて、
前記編集対象データが入力され、データベース確認指示が入力されると、前記編集対象データ中に記録された、前記参照したデータのデータベース内での位置を表すメタデータに基づいて、そのメタデータが表す位置のデータを前記データベースから読み込ませ、
前記データベースから読み込んだ前記データと前記参照したデータとが同一であるかどうかを判断させ、
前記データベースから読み込んだ前記データと前記参照したデータとが異なっている場合、前記データベースから読み込んだ前記データと前記参照したデータとを両方表示させ、データの選択を促させて、選択されたデータを、新たな参照したデータとして前記編集対象データに取り込ませる
ことをコンピュータに行わせることを特徴とするデータベースを利用した編集支援プログラム記録した記録媒体。
【発明の詳細な説明】
【技術分野】
【０００１】
この発明は、データベースを利用した文書等の編集支援システムであり、特にそのデータベース管理及び編集方法等に関するものである。
【背景技術】
【０００２】
近年、コンピュータによる編集支援が行われている。例えば文書作成における卓上出版（以下、ＤＴＰ（Desk Top Publishing ）という）が代表的なものである（以下、最も一般的なＤＴＰについて、代表して述べる）。このようなコンピュータによる文書の編集支援では、文書作成ツール（ソフト）で作成される文書データだけでなく、コンピュータ又はそのコンピュータとネットワークで接続されているコンピュータ内のデータベース等に記憶されているデータを文書内に取り込むＯＬＥ（Object Linking and Embedding）が一般的に行われ、文書作成に幅を持たせている。このＯＬＥではそれぞれのデータとそのデータを参照した文書の編集部分とがリンク（対応付け）され、データの更新を行えば、文書中のデータも変更されるようになっている。
【発明の開示】
【発明が解決しようとする課題】
【０００３】
しかし、このような編集支援システムでは、データベース中の更新したデータを、どの文書のどの箇所が参照しているかを特定することが困難である。更新したデータにもとづいて、文書、文書中のデータの参照箇所を探すには、テキスト検索を行うことが考えられるが、大量の文書を検索することはかなりの時間を必要とし、また単なるテキスト検索では精度が低いため、検索漏れや誤検索が発生するおそれがあり、実用には耐えられない。
【０００４】
また、データベース中のデータを更新した場合、文書中の参照箇所のデータが全て更新したデータに変更されてしまうので、例えば文書によっては変更を見送りたい場合に対応できない。それに変更前のデータに対してユーザが行っていたデータの表現形式（例えば、データが数値の場合における有効数字の設定、複数カラムの設定等）が、変更後のデータには無効となるため、再度設定を必要とし、編集に自由度がなくなる。
【０００５】
さらに、文書中の参照箇所が更新されたデータに変更され、例えば、以前のデータに戻そうと編集しようとしても、文書中の参照箇所を探し出すのは困難である。また、参照箇所のデータのうち、編集すべきデータを編集し、そのままにしておくべきデータをそのままにしておいたかどうかを確認するのが困難である。
【０００６】
そこで、データベース中のデータ更新に伴う文書中の変更箇所を認識しやすく、また、参照箇所について、編集したかどうかを把握しやすいデータベースを利用した編集支援システムの実現が望まれていた。
【課題を解決するための手段】
【０００７】
本発明に係る、データベースに記憶されているデータを参照して、参照したデータを編集対象データ中に取り込んで編集を行うデータベースを利用した編集支援方法では、編集対象データを入力する工程と、データベース確認指示が入力されると、編集対象データ中に記録された、参照したデータのデータベース内での位置を表すメタデータに基づいて、そのメタデータが表す位置のデータをデータベースから読み込む工程と、データベースから読み込んだデータと参照したデータとが同一であるかどうかを判断する工程と、データベースから読み込んだデータと参照したデータとが異なっている場合、データベースから読み込んだデータと参照したデータとを両方表示し、データの選択を促す工程と、選択されたデータを、新たな参照したデータとして編集対象データに取り込む工程とを有している。
【０００８】
本発明においては、編集対象データを入力した後にデータベース確認指示が入力されると、編集対象データ中に記録された、参照したデータのテーブル名、カラム名及び行番号からなるメタデータに基づいて、そのメタデータが表す位置に記憶されているデータをデータベースから読み込む。データベースから読み込んだデータと文書内に取り込まれた参照したデータとが同一であるかどうかを判断する。データベース内のデータの更新がなければ、データは同一なものであるが、データベースから読み込んだデータと参照したデータとが異なっている場合、データベースから読み込んだデータと参照したデータとを両方表示し、オペレータにデータの選択を促す。オペレータにより選択されたデータを、新たな参照したデータとして文書に取り込み、データベース中のデータの更新にともない、文書内の参照箇所のデータを自動的に変更されることを防ぎ、ユーザの選択による自由な編集を行う。
【０００９】
また、本発明に係る、データベースに記憶されているデータを参照して、その参照したデータを編集対象データ中に取り込んで編集を行うデータベースを利用した編集支援を行うための記録媒体は、編集対象データが入力され、データベース確認指示が入力されると、編集対象データ中に記録された、参照したデータのデータベース内での位置を表すメタデータに基づいて、そのメタデータが表す位置のデータをデータベースから読み込ませ、データベースから読み込んだデータと参照したデータとが同一であるかどうかを判断させ、データベースから読み込んだデータと参照したデータとが異なっている場合、データベースから読み込んだデータと参照したデータとを両方表示させ、データの選択を促させて、選択されたデータを、新たな参照したデータとして編集対象データに取り込ませることをコンピュータに行わせるプログラムを記録したものである。
【００１０】
本発明においては、編集対象データを入力した後にデータベース確認指示が入力されると、編集対象データ中に記録された、参照したデータのテーブル名、カラム名及び行番号からなるメタデータに基づいて、そのメタデータが表す位置に記憶されているデータをデータベースから読み込ませる。データベースから読み込んだデータと参照したデータとが同一であるかどうかを判断させる。データベース内のデータの更新がなければ、データは同一なものであるが、データベースから読み込んだデータと参照したデータとが異なっている場合、データベースから読み込んだデータと参照したデータとを両方表示し、オペレータにデータの選択を促す。オペレータにより選択されたデータを、新たな参照したデータとして文書等の編集対象データに取り込まる。以上の動作をコンピュータ等の制御手段に行わせ、データベース中のデータの更新にともない、そのデータを自動的に変更されることを防ぎ、オペレータの選択による自由な編集を行う。
【発明の効果】
【００１１】
以上のように本発明によれば、データベースから読み込んだデータと取り込まれた参照したデータとが同一であるかどうかを判断し、異なっている場合、データベースから読み込んだデータと参照したデータとを両方表示し、オペレータにデータの選択を促して、選択されたデータを、新たな参照したデータとして編集データに取り込むようにしたので、オペレータの意思でその編集物に応じたデータの編集を容易に行うことができ、自由度の高い編集を行うことができる。
【発明を実施するための最良の形態】
【００１２】
実施形態１．
図１は本発明の第１の実施の形態に係るデータベースを利用した編集支援システムのブロック図である。１はデータベース制御手段（以下、ＤＢ制御手段という）である。ＤＢ制御手段１は、入力信号に基づいて、データベース入力データ（以下、ＤＢ入力データという）の新規作成、更新又は削除（特に断りのない限り、これらの処理をまとめて更新等ということにする）の処理を行い、諸元データベース５に保存する。また、更新等を行ったＤＢ入力データのテーブル名、カラム名及び行番号からなるメタデータ（以下、ログデータという）をログデータベース６に記録保存させる処理を行い、ログデータと検索情報データベース７に保存されたデータとを比較して、その比較結果を比較結果記録部４に記録する処理を行う。さらに、以上の処理状況等を、データベース表示手段３に表示させるために、データベース表示手段３にデータベース表示データ（以下、ＤＢ表示データという）を送信する。２は例えばキーボード等で構成されるデータベース入力手段（以下、ＤＢ入力手段という）である。指示、ＤＢ入力データ等がユーザ（以下、ＤＢオペレータという）から入力されると、その指示、ＤＢ入力データ等に対応した入力信号をＤＢ制御手段１に送信する。３は例えばＣＲＴ、液晶ディスプレイ等で構成されるデータベース表示手段（以下、ＤＢ表示手段という）である。ＤＢ表示手段３は、ＤＢ制御手段１から送信されるＤＢ表示データに基づいた文字、画像を表示する。４は比較結果記録部であり、ＤＢ制御手段１が出力した比較結果（更新等されたＤＢ入力データ、そのＤＢ入力データを参照する文書の文書ファイル名、参照箇所等のデータ）を比較結果データとして記憶、印字保存等を行う。
【００１３】
５は諸元データベースである。本実施の形態及び後述する実施の形態では、諸元データベース５は複数のテーブルを記憶したリレーショナルデータベースとして構成されているものとする。テーブル、カラム及び行（各セル単位）毎に記憶されているＤＢ入力データが、文書作成の際に参照され、取り込まれる。６はログデータベースであり、前述したように、更新されたＤＢ入力データのログデータが記憶される。７は検索情報データベースであり、文書識別子と参照データとを対応させて記憶するリレーショナルデータベースである。ここで参照データとは、作成された文書において、参照されたＤＢ入力データのテーブル名、カラム名及び行番号のメタデータのことである。また文書識別子とは、ＤＢ入力データを参照している文書のフォルダ名、ファイル名、参照箇所のページ番号データ等、文書中の参照箇所を識別するためのメタデータで構成されたものである。
【００１４】
８は文書作成制御手段であり、文書作成の際の文書作成制御を行う。文書作成時にデータベース参照指示を示す入力信号が文書作成入力手段９から入力されると、ＤＢ入力データを諸元データベース５から参照し、取り込む（これを文書作成手段７のデータベース取込機能ということにする）。また、作成文書のデータである文書データを文書ファイルとして文書記憶部１１に記憶させる。また、文書データ保存時に文書中に取り込んだＤＢ入力データの参照データを文書識別子とリンクさせて検索情報データベース７に記憶させる。さらに、以上の処理状況等を文書作成表示手段１０に表示させるために、文書作成表示手段１０に文書作成表示データを送信する。９は、例えばキーボード等で構成される文書作成入力手段である。指示、文字データ等がユーザ（以下、文書作成オペレータという）から入力されると、文書作成制御手段８にその指示、文字データ等に対応した入力信号を送信する。１０は例えばＣＲＴ、液晶ディスプレイ等で構成される文書作成表示手段である。文書作成表示手段１０は、文書作成制御手段８から送信される文書作成表示データに基づいて文字、画像を表示する。１１は文書記憶部であり、文書ファイルが記憶されている。文書ファイル内に記録されている文書データとは、文書作成表示手段１０に表示される文書と同じように表示させるために記録される、少なくとも文字データ、文字制御データ及びフィルタデータで構成されたデータのことである。ここでフィルタデータとは、ＤＢ入力データの参照箇所のデータに付加される制御データ（例えば、データが数値の場合の有効数字の設定、複数カラムの設定等の表現形式）である。
【００１５】
図２は第１の実施の形態に係る文書作成制御手段８の検索情報保存機能の動作を表すフローチャートである。文書作成オペレータが文書の作成を終了し、検索情報保存機能を指示すると（Ｓ２１）、文書作成制御手段８は、文書中に参照したＤＢ入力データのメタデータであるテーブル名データ、カラム名データ及び行番号データを、参照データとして検索情報データベース７に保存すると共に、それに関連させて、少なくともその文書のメタデータであるフォルダ名データ、ファイル名データ、参照箇所のページ番号データを文書識別子として別のテーブルに記憶保存する（Ｓ２２）。記憶保存が終了すると、文書作成制御手段８は検索情報保存機能の動作を終了させる（Ｓ２３）。
【００１６】
図３は第１の実施の形態に係るＤＢ制御手段１を中心とするデータベース管理の動作を表すフローチャートである。図３に基づいて、データベースを利用した編集支援システムのデータベース管理について説明する。
【００１７】
ＤＢオペレータからの更新処理指示が入力されると、ＤＢ制御手段１は、諸元データベース５のＤＢ入力データ（又は指示されたＤＢ入力データを含むテーブル、カラム等）を読み込み、ＤＢ表示手段３に表示させる（Ｓ３１）。ＤＢ制御手段１は、ＤＢオペレータが更新等したい箇所（テーブル、カラム及び行）に入力した新しいＤＢ入力データをＤＢ表示手段３に表示させる（Ｓ３２）。ＤＢオペレータがＤＢ入力手段２に更新指示を入力すると、その入力信号を受信したＤＢ制御手段１は、更新等されたＤＢ入力データを諸元データベース５に記憶保存させる（Ｓ３３）。また、更新されたＤＢ入力データのログデータをログデータベース６に記憶保存させる（Ｓ３４）。
【００１８】
ＤＢ制御手段１は、検索情報データベース７にアクセスして参照データの読み込みを行い、ログデータと参照データとを比較して（Ｓ３５）、双方のメタデータ（テーブル名データ、カラム名データ及び行番号データ）が一致するかどうかを判断する（Ｓ３６）。双方のメタデータが一致すれば、更新等した箇所のＤＢ入力データを参照し、取り込んでいる文書が存在しているとして、参照データと関連づけられている文書識別子を読み込む（Ｓ３７）。双方のメタデータが一致しなければ、更新した箇所のＤＢ入力データを参照している文書が存在しないものとする。
【００１９】
全てのログデータと参照データとの比較が終了すると（Ｓ３８）、ＤＢ制御手段１は、読み込んだ文書識別子及び更新したＤＢ入力データを、ＤＢ表示手段３に表示させるとともに、比較結果データとして比較結果記録部４に記憶させる（Ｓ３９）。比較結果記録部４に記憶された比較結果データは、ＤＢオペレータの指示に応じてプリントアウト等が可能である。
【００２０】
以上のように第１の実施の形態によれば、ＤＢ制御手段１は、ログデータベース６に記憶されたＤＢ入力データのログデータと検索情報データベース７に記憶された参照データとを比較し、双方のメタデータ（テーブル名、カラム名及び行番号）が一致すると、ＤＢ入力データを更新した箇所を参照している文書が存在しているとして、その参照データと関連づけられている文書識別子及び参照データをＤＢ表示手段３に表示させるとともに、比較結果データとして比較結果記録部４に記憶させ、検索確認できるようにしたので、例えば、文書ファイルを１０００程度管理しているシステムにおいては、１つのＤＢ入力データに対して２０文書程度が関連づけされていることもある。そのようなシステムで、ログデータ及び参照データを比較し、更新したＤＢ入力データを参照している文書ファイルを自動的に検索でき、作業効率が向上し、また検索漏れを防ぐことができる。
【００２１】
実施形態２．
図４は本発明の第２の実施の形態に係る文書作成制御手段７のデータベース確認機能動作を表すフローチャートである。なお、図４のフローチャートの動作を実現する編集支援システムは、図１と同様の構成で実現できるので、データベース確認機能動作の説明に図１を用いることにする。文書作成制御手段８は、文書作成オペレータから指示された文書ファイルを文書記憶部１１から読み込み、文書作成表示手段１０に表示させる（Ｓ４１）。文書作成オペレータからデータベース確認機能指示が文書作成入力手段９に入力され、文書作成制御手段８が入力信号を受信すると、データベース確認機能処理を開始する（Ｓ４２）。文書作成手段８は読み出した文書ファイル中の文書データに基づいて、文書中の参照した箇所を見つけだし、その箇所において参照したテーブル、カラム及び行のＤＢ入力データを諸元データベース５から読み込む（Ｓ４３）。
【００２２】
読み込んだＤＢ入力データに対して、文書作成手段８は、文書データ中に取り込まれ、保持されているデータ（以下、参照箇所のデータという）と比較し（Ｓ４４）、読み込んだＤＢ入力データと参照箇所のデータとが同一であるかどうかを判断する（Ｓ４５）。データが同一でなければ、読み込んだＤＢ入力データは新規作成、更新又は削除されているものとし、参照箇所のデータが空データの状態（以下、ｎｕｌｌという）であるかどうかを判断する（Ｓ４６）。参照箇所のデータがｎｕｌｌであれば、読み込んだＤＢ入力データはｎｕｌｌではないことになるので、読み込んだＤＢ入力データは新規作成されたものとして、例えば文書中の参照箇所に、青色で参照箇所のデータ及び読み込んだＤＢ入力データを並べて表示させるような文書作成表示データを送信して、文書作成表示手段１０に表示させる（Ｓ４７）。参照箇所のデータがｎｕｌｌでない場合は、次に読み込んだＤＢ入力データがｎｕｌｌであるかどうかを判断する（Ｓ４８）。読み込んだＤＢ入力データがｎｕｌｌであれば、以前のＤＢ入力データである参照箇所のデータが削除されたものとして、例えば文書中の参照箇所に、赤色で参照箇所のデータ及び読み込んだＤＢ入力データを並べて表示させるような文書作成表示データを送信して、文書作成表示手段１０に表示させる（Ｓ４９）。読み込んだＤＢ入力データがｎｕｌｌでなければ、諸元データベース５中のＤＢ入力データが別のデータに更新されたものとして、例えば文書中の参照箇所に、黄色で参照箇所のデータ及び読み込んだＤＢ入力データを並べて表示させるような文書作成表示データを送信し、文書作成表示手段１０に表示させる（Ｓ５０）。文書作成制御手段８は、以前のＤＢ入力データである参照箇所のデータを選択するか、それとも更新されたＤＢ入力データを選択するかを文書作成オペレータに選択確認させるため、選択確認入力を促す文書作成表示データを文書作成表示手段１０に送信し、表示させる（Ｓ５１）。
【００２３】
Ｓ４５においてＤＢ入力データと参照箇所のデータとが同一であると判断するか又はＳ５１において文書入力手段９から選択確認入力が入力されたと判断すると、参照箇所のデータ及び選択確認されたデータに対してフィルタデータに基づいてデータ加工して文書作成表示手段１０に表示させる（Ｓ５２）。以上の処理を文書中の全ての参照箇所に対して行う（Ｓ５３）。
【００２４】
図５はデータベース確認機能終了時の文書表示例を表す図である。データベース確認機能終了指示が入力されると（Ｓ５４）、文書作成制御手段８は、参照箇所において選択確認されたデータが、更新されたＤＢ入力データであるかどうかを判断する（Ｓ５５）。更新された新しいＤＢ入力データが選択確認されていれば、参照箇所に関して、文書作成表示手段１０の表示色を薄くして表示させる（Ｓ５６）。これを全ての参照箇所に行って終了する。
【００２５】
以上のように第２の実施の形態によれば、文書作成制御手段８は、データベース確認機能指示が入力されると、読み込んだＤＢ入力データに対して、文書データ中に取り込まれ、保持されている参照箇所のデータと比較し、読み込んだＤＢ入力データと参照箇所のデータとが同一であるかどうかを判断して、読み込んだＤＢ入力データが更新等されたものと判断すると、読み込んだＤＢ入力データ及び以前のＤＢ入力データである参照箇所のデータを表示し、いずれかのデータを文書内に取り込むかを選択できるようにしたので、自由度の高い文書編集を行うことができる。また、読み込んだＤＢ入力データと参照箇所のデータとが異なっていた場合、読み込んだＤＢ入力データが新規作成、削除又は更新のうちのいずれかにより、表示色を異ならせるようにしたので、文書編集を行う際に、状態を識別しやすくなる。また新しいＤＢ入力データが選択されたときには薄い色で表示させるようにして選択されたデータにより区別したので、編集確認が容易になる。さらに、フィルタデータを用いて、新しいＤＢ入力データを取り込む際にも、以前のデータ表現形式を自動的に新しいＤＢ入力データに再現できるようにしたので、文書編集が容易になる。
【００２６】
実施形態３．
図６は本発明の第３の実施の形態に係る編集支援システムを地理情報システム（ＧＩＳ）の編集支援に用いた例を表す図である。上記の実施の形態では、編集支援システムを文書支援に利用しているが、本実施の形態では、編集支援システムを地理情報システムの編集支援に利用することを考える。本実施の形態では、諸元データベースには地図の位置と印に関するデータが記憶されている。また検索情報データベース７には、文書識別子の代わりに、地図識別子が参照データと関連づけられて保存されている。地図識別子とは、第１の実施の形態の文書識別子と同じようなものであり、地図ファイルのフォルダ名、ファイル名、ＤＢ入力データ参照箇所の地図上における位置データ等、地図上の参照箇所を識別するためのメタデータで構成されたものである。
【００２７】
図６では東京が地図Ａ、地図Ｂ及び地図Ｃに参照されている。地図Ａ及び地図Ｂに関しては、地図上の本来の東京の位置に☆印が設定されている。地図Ｃについては、通常の縮尺では入らないので、本来の東京の位置とは違う箇所に☆印が設定されている。このような場合でも、関連づけをしておくことにより、東京として位置参照している地図ファイルを容易に探し出すことができ、編集漏れを起こしにくい。
【００２８】
実施形態４．
なお、上述の実施の形態においては、ＤＢ制御手段１と文書作成制御手段８とを別の手段として記載しているが、本発明ではそれに限定されるものではなく、１つのコンピュータ上で、それぞれの手段の動作を行わせるようにしてもよい。また、諸元データベース５、ログデータベース６、検索情報データベース７、文書結果記録部４及び文書記憶部１１をそれぞれ別の記憶手段として記載しているが、本発明ではそれに限定されるものではなく、同じ記憶手段（例えばハードディスク等）に区分けして記憶させるようにしてもよい。また、それぞれの手段等は通信回線等を利用したネットワークで接続されていても問題ない。
【図面の簡単な説明】
【００２９】
【図１】本発明の第１の実施の形態に係るデータベースを利用した編集支援システムのブロック図である。
【図２】第１の実施の形態に係る文書作成制御手段８の検索情報保存機能動作を表すフローチャートである。
【図３】第１の実施の形態に係るＤＢ制御手段１を中心とするデータベース管理の動作を表すフローチャートである。
【図４】本発明の第２の実施の形態に係る文書作成制御手段７のデータベース確認機能動作を表すフローチャートである。
【図５】データベース確認機能終了時の文書表示例を表す図である。
【図６】本発明の第３の実施の形態に係る地理情報システムの編集支援に用いた例を表す図である。
【符号の説明】
【００３０】
１  データベース制御手段
２  データベース入力手段
３  データベース表示手段
４  比較結果記録部
５  諸元データベース
６  ログデータベース
７  検索情報データベース
８  文書作成制御手段
９  文書作成入力手段
１０  文書作成表示手段
１１  文書記憶部
【図１】
2004318897.tif 000003
【図２】
2004318897.tif 000004
【図３】
2004318897.tif 000005
【図４】
2004318897.tif 000006
【図５】
2004318897.tif 000007
【図６】
2004318897.tif 000008